(57)【要約】【課題】    従来の薬服用過誤の防止には患者が薬を薬局から受け取ったのちに患者自身が薬を整理し、薬服用を管理するとことを前提にしたものが多かった。左記管理方法は高齢者、障害者には不向きであった。【解決手段】    薬を受容できうる空間を複数以上持った外部から視認可能な部材で作られた容器に、薬剤師が薬をセット後、前記容器を服薬方法等記載の前記台紙と前記シールにより前記容器をはさみ１包化することにより薬服用過誤の防止につながり、一視にて服薬状況が確認可能なため、より薬管理の徹底化がはかられる。【選択図】図１２
2011152384.tif 000002
【特許請求の範囲】
【請求項１】
薬をセットする為に設けられた複数の孔を有し、透過性を持ち、外部から孔の内部視認可能で、孔の周辺をはさみ等で簡単に切断可能で、はさみ等で切断することによって孔単独又は、行、列単位で使用可能な構造を有し、孔の凸部を簡単に押し潰せる厚さの材質で構成された容器と、前記容器の使用方法の、あさ、ひる、ゆう、ねる前等の服薬方法、薬局名、責任薬剤師等が記載できるスペースをもち、前記容器の孔を塞ぐための接着位置を前記容器の透過性を利用し、前記容器を挟んで塞ぐための貼付指示を印刷し、また前記容器を孔単独、又は列、行単位で切り取り易く、案内指示が印刷され、脱着が容易にしやすい構造をもった、前記容器と縦横のサイズ、外形状が同等で、前記容器の孔凸部を前記容器の凸部より大きな形状の同数の穴を有する台紙で構成された特徴をもつ１包化薬剤パック。
【請求項２】
前記第１の容器と前記第１の容器に接着された前記第１の台紙は、前記容器を挟んで塞ぐための貼付指示が印刷された前記台紙に印刷された指示と合致する構造を有し、前記容器の孔サイズと同等のミシン目を有し、前記容器の孔間の格子と合致する幅にスリットが２本施された台紙を有し、前記スリットに挟まれた部分を剥がして前記容器に仮置きしただけでは接着しにくい構造をもち、前記容器を孔単独、又は行、列単位で切断しやすく案内指示が印刷され、孔修復時に１孔単独で修復可能な孔の上下左右の格子を利用した印刷指示がされ、前記容器の孔寸法と同等のミシン目を縁取った内側は、あさ、ひる、ゆう、ねる前等の印刷が可能なシールと前記容器の孔の凸の高さと同等で前記容器全体の孔を囲む紙又はプラスチック、金属等で作られた型枠で構成された特徴をもつ１包化薬剤パック。
【発明の詳細な説明】
【技術分野】
【０００１】  本発明は、薬の服用過誤防止化及び迅速化を図った１包化薬剤パックに関する。
【背景技術】
【０００２】  従来の薬の服薬過誤防止を図った方法にはカレンダーにフックを付け薬袋を服薬時ごとに移動させる薬服用カレンダーとした方法で対策を施したものがある。（例えば、特許文献１参照）
【特許文献１】  特開２００２−３７０４７３
【発明の開示】
【発明が解決しようとする課題】
【０００３】  従来の方法では、服用薬剤が多ければ多いほど薬袋からの出し入れで患者の選択的思考と行動が薬服用時要求されることが多く、高齢者等に不向きであった。【０００４】  開封時、孔凸を押し出す開封方法ではなく開封がしにくかった。【０００４】  本発明は、高齢者等に薬服用時の選択的思考と行動の軽減を図るため、１包化を薬剤師がおこない、患者の適切かつ迅速な薬の服用の実現を目的とするものである。
【課題を解決するための手段】
【０００５】  そして、本発明は上記目的を達成するために薬をセットするために設けられた複数の孔を有し、透過性を持ち、外部から孔の内部視認可能で、孔の周辺をはさみ等で簡単に切断可能な厚さ、形状を有し、はさみ等で切断することによって孔単独又は行、列単位で使用可能で、孔の凸部を簡単に押し潰せる厚さの材質で構成された容器と、前記容器の使用方法の、あさ、ひる、ゆう、ねる前等の服薬方法、薬局名、責任薬剤師印等が記載できるスペースをもち、前記容器の孔を塞ぐための接着位置を前記容器の透過性を利用し、前記容器を挟んで塞ぐための貼付指示を印刷し、また前記容器を孔単独、又は行、列単位で切り取り易く、案内指示が印刷され脱着が容易にしやすい構造をもった、前記容器と縦横のサイズ外形状が同等で、前記容器の孔凸部を前記容器の凸部より大きな形状の同数の穴を有する台紙と、前記容器の孔の凸の高さと同等で前記容器全体の孔を囲む、紙またはプラスチック、金属等で作られた型枠で構成された特徴をもつ１包化薬剤パック。【０００６】  又、第２の課題解決手段は前記第１の容器と前記第１の容器に接着された前記第１の台紙は、前記容器を挟んで塞ぐための貼付指示が印刷された指示と合致する構造を有し、前記容器の孔サイズと同形のミシン目を有し、前記容器の孔間の格子と合致する幅にスリットが２本施された台紙を有し、前記スリットに挟まれた部分を剥がして前記容器に仮置きしただけでは接着しにくい構造をもち、前記容器を孔単独、又は行、列単位で切り取り易く案内指示が印刷され、孔修復時に１孔単独で修復可能な孔の上下左右の格子を利用した印刷指示がされ、前記容器の孔寸法と同等のミシン目を縁取った内側は、あさ、ひる、ゆう、ねる前等の印刷が可能なシールと前記容器の孔の凸の高さと同等で前記容器全体の孔を囲む紙又はプラスチック、金属等で作られた型枠で構成された特徴をもつ１包化薬剤パック。【０００７】  上記第１の解決手段による作用は次の通りである。すなは前記容器と前記台紙を一体にすることによって印刷指示による１包化薬剤パックの裁断がはさみ等により可能となり１週間から１回分の薬服用量の携帯が可能となった。前記容器の孔の高さと同等で、前記容器の孔を囲む、紙又はプラスチック、金属等で作られた型枠で構成することによって薬剤セット時の安定性が増し、薬がセットしやすくなり、孔の形状のくずれを防止することができる。【０００８】  又、第２の課題解決手段による作用は、前記シールの一部の形状を変えることによって前記台紙の印刷指示による貼付箇所に前記容器と前記シールの貼付の合致誤差を少なくすることが可能となり、さらに前記容器の孔間の格子幅に２本のスリット幅を合わせることにより作り置きを可能とし、スピーディーな１包化調剤が図れるという効果を発揮する。また前記シールにあさ、ひる、、ゆう、ねる前の印刷をすることにより服用部が明確になり、切断部位を明示印刷することにより１回服用分から１週間分の携帯が可能となり、部分貼り替えも可能となり迅速な１包調剤ができるという効果を発揮する。
【発明の効果】
【０００９】  上述したように本発明の薬剤パックは、患者の薬服用過誤を防止にするとともに患者の薬服用労力の軽減、服薬過誤の防止の向上及び、１包化調剤時間の迅速化につながる。【００１０】  又、前記容器の前後に服薬用法記載が可能なため、服薬確認が容易になるという効果を発揮するものである。
【発明の実施するための最良の形態】
【００１１】  以下、本発明の実施の形態を図１〜図１８に基ずいて説明する。
【００１２】  図１は、薬を受容する為に設けられた複数の孔を有し、透過性を持ち、外部から孔の内部視認可能で、孔の周辺をはさみ等で簡単に切断可能で、はさみ等で切断することによって孔単独又は行、列単位で使用可能な構造を有し、孔の凸部を簡単に押し潰せる厚さの材質で構成された容器の斜視図である。
【００１３】  図２は、前記容器の使用方法の、あさ、ひる、ゆう、ねる前等の服用方法、薬局名、責任薬剤師印等が記載できるスペースをもち、前記容器の孔を塞ぐための接着位置を前記容器の透過性を利用し、前記容器を挟んで塞ぐための貼付指示を印刷し、また前記容器を孔単独、又は列、行単位で切り取り易く、案内指示が印刷され、前記容器より脱着が容易にしやすい構造をもった、前記容器と縦横のサイズ、外形状が同等で、前記容器の孔凸部より大きな形状の同数の穴を有する台紙の表面である。
【００１４】  図３は、前記容器の使用方法の、あさ、ひる、ゆう、ねる前等の服用方法、薬局名、責任薬剤師印等が記載できるスペースをもち、前記容器の孔を塞ぐための接着位置を前記容器の透過性を利用し、前記容器を挟んで塞ぐための貼付指示を印刷し、また前記容器を孔単独、又は列、行単位で切り取り易く、案内指示が印刷され、前記容器より脱着が容易にしやすい構造をもった、前記容器と縦横のサイズ、外形状が同等で、前記容器の孔凸部より大きな形状の同数の穴を有する台紙の裏面である。
【００１５】  図４は、薬をセットする為に設けられた複数の孔を有し、透過性を持ち、外部から孔の内部視認可能で、孔の周辺をはさみ等で簡単に切断可能で、はさみ等で切断することによって孔単独又は行、列単位で使用可能な構造を有し、孔の凸部を簡単に押し潰せる厚さの材質で構成された容器と、前記容器の使用方法の、あさ、ひる、ゆう、ねる前等の服薬方法、薬局名、責任薬剤師印等が記載できるスペースをもち、前記容器の孔を塞ぐための接着位置を前記容器の透過性を利用し、前記容器を挟んで塞ぐための貼付指示を印刷し、また前記容器を孔単独、又は列、行単位で切り取り易く、案内指示が印刷され、脱着が容易にしやすい構造をもった、前記容器と縦横のサイズ、外形状が同等で、前記容器の孔凸部を前記容器の凸部より大きな形状の同数の穴を有する台紙とを合致させようとしている図である。
【００１６】  図５は、薬をセットする為に設けられた複数の孔を有し、透過性を持ち、外部から孔の内部視認可能で、孔の周辺をはさみ等で簡単に切断可能で、はさみ等で切断することによって孔単独又は行、列単位で使用可能な構造を有し、孔の凸部を簡単に押し潰せる厚さの材質で構成された容器と、前記容器の使用方法のあさ、ひる、ゆう、ねる前等の服薬方法、薬局名、責任薬剤師印等が記載できるスペースをもち、前記容器の孔を塞ぐための接着位置を前記容器の透過性を利用し、前記容器を挟んで塞ぐための貼付指示を印刷し、また前記容器を孔単独、又は行、列単位で切り取り易く、案内指示が印刷され、脱着が容易にしやすい構造をもった、前記容器と縦横のサイズ、外形状が同等で、前記容器の孔凸部を前記容器の凸部より大きな形状の同数の穴を有する台紙とを合致させた凸面の斜面図である。
【００１７】  図６は、薬をセットする為に設けられた複数の孔を有し、透過性を持ち、外部から孔の内部視認可能で、孔の周辺をはさみ等で簡単に切断可能で、はさみ等で切断することによって孔単独又は行、列単位で使用可能な構造を有し、孔の凸部を簡単に押し潰せる厚さの材質で構成された容器と、前記容器の使用方法のあさ、ひる、ゆう、ねる前等の服薬方法、薬局名、責任薬剤師印等が記載できるスペースをもち、前記容器の孔を塞ぐための接着位置を前記容器の透過性を利用し、前記容器を挟んで塞ぐための貼付指示を印刷し、また前記容器を孔単独、又は行、列単位で切り取り易く、案内指示が印刷され、脱着が容易にしやすい構造をもった、前記容器と縦横のサイズ、外形状が同等で、前記容器の孔凸部を前記容器の凸部より大きな形状の同数の穴を有する台紙とを合致させた凹面の正面図である。
【００１８】  図７は、薬をセットする為に設けられた複数の孔を有し、透過性を持ち、外部から孔の内部視認可能で、孔の周辺をはさみ等で簡単に切断可能で、はさみ等で切断することによって孔単独又は行、列単位で使用可能な構造を有し、孔の凸部を簡単に押し潰せる厚さの材質で構成された容器と、前記容器の使用方法のあさ、ひる、ゆう、ねる前等の服薬方法、薬局名、責任薬剤師印等が記載できるスペースをもち、前記容器の孔を塞ぐための接着位置を前記容器の透過性を利用し、前記容器を挟んで塞ぐための貼付指示を印刷し、また前記容器を孔単独、又は行、列単位で切り取り易く、案内指示が印刷され、脱着が容易にしやすい構造をもった、前記容器と縦横のサイズ、外形状が同等で、前記容器の孔凸部を前記容器の凸部より大きな形状の同数の穴を有する台紙とを合致させた凹面の断面図である。
【００１９】  図８は、前記第１の容器と前記第１の容器に接着された前記第１の台紙は、前記容器を挟んで塞ぐための貼付指示が印刷された前記台紙に印刷された指示と合致する構造を有し、前記容器の孔サイズと同等のミシン目を有し、前記容器の孔間の格子と合致する幅にスリットが２本施された台紙を有し、前記スリットに挟まれた部分を剥がして前記容器に仮置きしただけでは接着しにくい構造をもち、前記容器を孔単独、又は行、列単位で切断し指示が印刷され、孔修復時に１孔単独で修復可能な孔の上下左右の格子を利用した印刷やすく案内指示がされ、前記容器の孔寸法と同等のミシン目を縁取った内側は、あさ、ひるゆう、ねる前等の印刷が可能なシールの正面図である。
【００２０】  図９は、前記容器の孔間の格子と合致するラインにスリットが２本施され、前記スリットにまれた部分を縦横を部分的に剥がした前記シール裏面台紙の状態である。
【００２１】  図１０は、前記容器の孔間の格子と合致するラインにスリットが２本施され、前記スリットに挟まれた部分Ｂを剥がした台紙横切断面である。
【００２２】  図１１は、前記容器の孔間の格子と合致するラインにスリットが２本施され、前記スリットに挟まれた部分Ｄを剥がした台紙の縦切断面である。
【００２３】  図１２は、前記容器の孔間の格子と合致するラインにスリットが２本施され、前記スリットに挟まれた部分Ｃを剥がして前記容器の格子縦に沿い貼付した斜面図。
【００２４】  図１３は、前記容器の孔間の格子と合致するラインにスリットが２本施され、前記スリットに挟まれた部分Ｄを剥がして前記容器の格子横に沿い貼付した斜面図。
【００２５】  図１４は、図１２の格子縦中央部から左右に台紙を剥がし、また図１３の横中央部から台紙を上下に剥がした時に貼り終えた正面図である。
【００２６】  図１５は、１孔単独で修復可能な孔の上下左右の格子を利用した印刷指示が印刷された１孔を塞ぐシールの印刷指示図である。
【００２７】  図１６は、図１４を印刷指示に基ずいて横１列を裁断した図である。
【００２８】  図１７は、図１６を印刷指示に基ずいて１個に裁断した図である。
【００２９】  図１８は、前記容器の孔の高さと同等で前記容器の孔を囲み保護する、紙又はプラスチック、金属等で作られた型枠の斜面図である。
【図面の簡単な説明】
【００３０】
【図１】  孔を有する容器図
【図２】  前記容器に被せる台紙表面図
【図３】  前記台紙の裏面図
【図４】  前記容器に前記台紙を被せる凸図
【図５】  前記容器に前記台紙を被せた凸図
【図６】  前記容器に前記台紙を被せた凹図
【図７】  図６におけるＡ−Ａ線断面図
【図８】  シール表面図
【図９】  図８におけるシール裏面台紙図
【図１０】  Ｂの台紙部剥面時のＢ１−Ｂ１線断面図
【図１１】  Ｃの台紙部剥面時のＣ１−Ｃ１線断面図
【図１２】  前記容器格子に前記シールＢ部剥面貼付斜面図
【図１３】  前記容器格子に前記シールＣ部剥面貼付斜面図
【図１４】  図１２又は、図１３の手法にて前記シール貼付正面凹図
【図１５】  前記シール補修指示図
【図１６】  前記シール貼付１列切断斜面図
【図１７】  前記シール貼付１孔切断斜面図
【図１８】  孔保護枠
【符号の説明】
【００２８】  １  容器
２  孔凸部
３  容器中央穴
４  台紙表部
５  台紙裏部
６  シール貼部印刷指示凸部
７  容器凹部
８  シール表部
９  シール貼付位置凹部
１０  Ｂ又はＣ台紙剥部後凹部
１１  シールＢ剥後容器格子接着位置
１２  シールＣ剥後容器格子接着位置
１３  修復印刷指示位置
１４  ミシン目位置
１５  保護枠高さ
【図１】
2011152384.tif 000003
【図２】
2011152384.tif 000004
【図３】
2011152384.tif 000005
【図４】
2011152384.tif 000006
【図５】
2011152384.tif 000007
【図６】
2011152384.tif 000008
【図７】
2011152384.tif 000009
【図８】
2011152384.tif 000010
【図９】
2011152384.tif 000011
【図１０】
2011152384.tif 000012
【図１２】
2011152384.tif 000013
【図１３】
2011152384.tif 000014
【図１４】
2011152384.tif 000015
【図１５】
2011152384.tif 000016
【図１６】
2011152384.tif 000017
【図１７】
2011152384.tif 000018
【図１８】
2011152384.tif 000019
【手続補正書】
【提出日】平成22年3月17日(2010.3.17)
【手続補正２】
【補正対象書類名】図面
【補正対象項目名】全図
【補正方法】変更
【補正の内容】
【図１】
2011152384.tif 000020
【図２】
2011152384.tif 000021
【図３】
2011152384.tif 000022
【図４】
2011152384.tif 000023
【図５】
2011152384.tif 000024
【図６】
2011152384.tif 000025
【図７】
2011152384.tif 000026
【図８】
2011152384.tif 000027
【図９】
2011152384.tif 000028
【図１０】
2011152384.tif 000029
【図１１】
2011152384.tif 000030
【図１２】
2011152384.tif 000031
【図１３】
2011152384.tif 000032
【図１４】
2011152384.tif 000033
【図１５】
2011152384.tif 000034
【図１６】
2011152384.tif 000035
【図１７】
2011152384.tif 000036
【図１８】
2011152384.tif 000037